(57)【要約】【課題】筐体内に配線スペースを確保して薄型化を可能にした消火栓装置を提供する。【解決手段】本発明に係る消火栓装置１は、筐体３内にホース２を収納するホース収納空間５と消火器６を収納する消火器収納空間７を有し、消火器収納空間７に電気ケーブル２５ａ、ｂ、ｃ、ｄが接続される弱電用端子箱９、強電用端子箱１１、通信用端子箱１３が配設された消火栓装置１であって、弱電用端子箱９と通信用端子箱１３を筐体３の背面３ｄから浮かした状態で支持する第１、第２端子箱支持台１５、１７を有し、第１、第２端子箱支持台１５、１７で支持された弱電用端子箱９又は通信用端子箱１３と筐体３の背面３ｄとの間のスペースに電気ケーブル２５ｂ又は電気ケーブル２５ｄを通過させて配線したことを特徴とするものである。【選択図】  図１
2018019885.tif 000002
【特許請求の範囲】
【請求項１】
筐体内にホースを収納するホース収納空間と消火器を収納する消火器収納空間を有し、該消火器収納空間に電気ケーブルが接続される端子箱が配設された消火栓装置であって、
前記端子箱を筐体の背面から浮かした状態で支持する端子箱支持部材を有し、
該端子箱支持部材で支持された前記端子箱と前記筐体の背面との間のスペースに前記電気ケーブルを通過させて配線したことを特徴とする消火栓装置。
【請求項２】
前記端子箱支持部材に支持された端子箱と、前記筐体の背面に直に設置された端子箱とを有し、前記筐体の背面に直に設置された端子箱には前記端子箱支持部材に支持された端子箱の下を通過した電気ケーブルを接続していることを特徴とする請求項１記載の消火栓装置。
【請求項３】
前記筐体の底面から前記ホースを浮かした状態で支持するホース架台と、前記筐体の底面から前記消火器を浮かした状態で支持する消火器架台を有し、
前記筐体内に引き込まれた電気ケーブルの束が、前記ホース架台及び前記消火器架台と前記筐体の底面との間のスペースを通過して前記消火器収納空間に引き入れられていることを特徴とする請求項１又は２に消火栓装置。
【請求項４】
前記端子箱支持部材は、平板状の端子箱支持面部と該端子箱支持面部の一部から前記筐体の背面側に屈曲して形成された脚部とを有する端子箱支持台からなり、
該端子箱支持台は、前記脚部の下端が前記筐体の背面に接合されると共に前記端子箱支持面部の辺部が前記筐体側に接合又は係止して前記筐体に取り付けられていることを特徴とする請求項１乃至３のいずれか一項に記載の消火栓装置。
【発明の詳細な説明】
【技術分野】
【０００１】
本発明は、トンネル等に設置される消火栓装置に関する。
【背景技術】
【０００２】
消火栓装置内に収容される主な機器としては消火用のホース及び消火器があるが、その他に受信機との信号の送受信をする信号変換器や赤色表示灯といった電気機器が搭載されている。
そのため、消火栓装置には、幹線からの電気ケーブルが引き入れられて消火栓装置内に設置された端子箱等に接続されている。
消火栓装置の配線方法としては、例えば特許文献１に開示されている。
【０００３】
特許文献１に記載されるように、消火栓装置内の配線は多岐にわたり、配線作業は煩雑なものである。
そこで、特許文献１においては、トンネル内での配線作業を軽減する方法が提案されている。
【先行技術文献】
【特許文献】
【０００４】
【特許文献１】特開２０１４−８７４１７号公報
【発明の概要】
【発明が解決しようとする課題】
【０００５】
トンネル内において消火栓装置は例えば監視員通路の壁面に箱抜きして設置されるのが一般的である。
しかしながら、例えばシールドトンネルのようにトンネル壁面が鋼製のセグメントで構築されたトンネルでは箱抜きができず、他の設置場所や設置方法が検討されている。その場合に、もっとも重要となるのは、消火栓装置の筐体の薄型化である。
【０００６】
この薄型化に際して消火栓装置内の配線スペースの確保が問題になる。
すなわち、消火栓装置内の配線は多岐に亘り、しかも電気ケーブルは屈曲させることなく所定以上の曲率半径を確保して配線する必要があるため、従来のように筐体に奥行きがある場合には、例えば消火器の背面側のスペースに電気ケーブルを引き回すように配線することも可能であるが、薄型化すると、消火器の背面側にスペースがなく、電気ケーブルを引き回すことができない。
そのため、電気ケーブルの配線スペースがネックとなって、筐体の薄型化ができない事態が生じている。
【０００７】
本発明はかかる課題を解決するためになされたものであり、筐体内に配線スペースを確保して薄型化を可能にした消火栓装置を提供することを目的とする。
【課題を解決するための手段】
【０００８】
（１）本発明に係る消火栓装置は、筐体内にホースを収納するホース収納空間と消火器を収納する消火器収納空間を有し、該消火器収納空間に電気ケーブルが接続される端子箱が配設された消火栓装置であって、前記端子箱を筐体の背面から浮かした状態で支持する端子箱支持部材を有し、該端子箱支持部材で支持された前記端子箱と前記筐体の背面との間のスペースに前記電気ケーブルを通過させて配線したことを特徴とするものである。
【０００９】
（２）また、上記（１）に記載のものにおいて、前記端子箱支持部材に支持された端子箱と、前記筐体の背面に直に設置された端子箱とを有し、前記筐体の背面に直に設置された端子箱には前記端子箱支持部材に支持された端子箱の下を通過した電気ケーブルを接続していることを特徴とするものである。
【００１０】
（３）また、上記（１）又は（２）に記載のものにおいて、前記筐体の底面から前記ホースを浮かした状態で支持するホース架台と、前記筐体の底面から前記消火器を浮かした状態で支持する消火器架台を有し、前記筐体内に引き込まれた電気ケーブルの束が、前記ホース架台及び前記消火器架台と前記筐体の底面との間のスペースを通過して前記消火器収納空間に引き入れられていることを特徴とするものである。
【００１１】
（４）また、上記（１）乃至（３）のいずれかに記載のものにおいて、前記端子箱支持部材は、平板状の端子箱支持面部と該端子箱支持面部の一部から前記筐体の背面側に屈曲して形成された脚部とを有する端子箱支持台からなり、該端子箱支持台は、前記脚部の下端が前記筐体の背面に接合されると共に前記端子箱支持面部の辺部が前記筐体側に接合又は係止して前記筐体に取り付けられていることを特徴とするものである。
【発明の効果】
【００１２】
本発明に係る消火栓装置は、端子箱を筐体の背面から浮かした状態で支持する端子箱支持部材を有し、該端子箱支持部材で支持された前記端子箱と筐体の背面との間のスペースに電気ケーブルを通過させて配線したことにより、前記端子箱の背面側にも前記電気ケーブルを引き回すスペースができ、前記電気ケーブルを屈曲することなく配線できる配線スペースを確保できたことで、筐体の薄型化が実現可能になっている。
【図面の簡単な説明】
【００１３】
【図１】本発明の実施の形態１に係る消火栓装置の内部構造を説明する説明図であり、前面パネルを外した状態を示している。
【図２】本発明の実施の形態１に係る消火栓装置の側面図である。
【図３】図１に示した消火栓装置の内部に収納する機器を除いた状態を説明する説明図である。
【図４】図１に示した消火栓装置に設けた第１端子箱支持台の斜視図である。
【図５】図４に示した第１端子箱支持台の３面図であり、図５（ｂ）は図５（ａ）の矢印ｂの方向から見た図であり、図５（ｃ）は図５（ａ）の矢印ｃの方向から見た図である。
【図６】図１に示した消火栓装置に設けた他の第２端子箱支持台の斜視図である。
【図７】図６に示した第２端子箱支持台の３面図であり、図７（ｂ）は図７（ａ）の矢印ｂの方向から見た図であり、図７（ｃ）は図７（ａ）の矢印ｃの方向から見た図である。
【図８】図１に示した消火栓装置に設けた消火器架台の斜視図である。
【図９】図８に示した消火器架台の３面図であり、図９（ｂ）は図９（ａ）の矢印ｂの方向から見た図であり、図９（ｃ）は図９（ｂ）の矢印ｃの方向から見た図である。
【発明を実施するための形態】
【００１４】
本実施の形態に係る消火栓装置１は、図１に示すように、筐体３内にホース２を収納するホース収納空間５と消火器６を収納する消火器収納空間７を有し、消火器収納空間７に電気ケーブルが接続される端子箱として弱電用端子箱９、強電用端子箱１１、通信用端子箱１３が配設されている。
そして、端子箱支持台として、弱電用端子箱９を支持する第１端子箱支持台１５と、通信用端子箱１３を支持する第２端子箱支持台１７とを有している。
さらに、ホース収納空間５における筐体３の底面３ａからホース２を浮かした状態で支持するホース架台１９と、消火器収納空間７における筐体３の底面３ａから消火器６を浮かした状態で支持する消火器架台２１を有している。
以下、各構成部材を詳細に説明する。
【００１５】
＜筐体＞
本実施の形態における筐体３は、図１、図２に示すように、底面３ａと両側面３ｂと天井面３ｃと背面３ｄとを有し、前面が開口した箱形状をしており、前面開口部には図２に示すような前面パネル２３が設置されている。
筐体３の一側面３ｂの下部には、電気ケーブルの束２５を引き込むための開口２７が設けられている。
【００１６】
筐体３内には、上述したように、ホース２を収納するホース収納空間５と消火器６を収納する消火器収納空間７が設けられている。
ホース収納空間５には、内巻きに巻き回されたホース２を収納するホース収納部２９が設けられている。
【００１７】
ホース収納部２９は、筐体３の内壁上面から内壁下面に至る２本の棒状体３１と、棒状体３１から筐体３の背面３ｄに至る略Ｌ字状に屈曲した２枚の帯板３３を備えて構成されている。帯板３３のうち、消火器収納空間７側のものには、後述する第２端子箱支持台１７の切欠き穴１７ｅを係止するための溶接ボルト３４が筐体３の側面に向けて立設されている。
消火器収納空間７には消火器６が設置されると共に、電気ケーブル２５ａ、ｂ、ｃ、ｄが接続される端子箱として弱電用端子箱９、強電用端子箱１１、通信用端子箱１３が配設されている。なお、弱電用端子箱９には例えば発信機が接続され、強電用端子箱１１には例えば表示灯が接続され、通信用端子箱１３は受信機と接続されて信号変換器として機能する。
【００１８】
弱電用端子箱９と通信用端子箱１３は筐体３の背面３ｄから浮かした状態で設置されているが、強電用端子箱１１は筐体３の背面３ｄに直に設置されており、筐体３の背面３ｄには強電用端子箱１１を固定するための溶接ボルト３５が立設されている（図３参照）。
【００１９】
＜端子箱支持台＞
本実施の形態の端子箱支持台は、本発明の端子箱支持部材の一態様であり、図３に示すように、弱電用端子箱９を筐体３の背面３ｄから浮かした状態で支持する第１端子箱支持台１５と、通信用端子箱１３を筐体３の背面３ｄから浮かした状態で支持する第２端子箱支持台１７とから構成されている。
【００２０】
《第１端子箱支持台》
第１端子箱支持台１５は鋼板製であり、図４及び図５に示すように、平板状の端子箱支持面部１５ａと端子箱支持面部１５ａの一部から筐体３の背面３ｄ側に屈曲形成された脚部１５ｂとを有している。端子箱支持面部１５ａは、支持する弱電用端子箱９の外形とほぼ同じ矩形状をしており、四隅には溶接ボルト１５ｃが立設されている。溶接ボルト１５ｃを弱電用端子箱９に形成されたボルト孔に挿入してナットによって弱電用端子箱９を固定する。
【００２１】
脚部１５ｂは、設置状態で端子箱支持面部１５ａの下辺となる辺部の一部に設けられ、脚部１５ｂの側方は切欠き部１５ｄとなっている。
第１端子箱支持台１５は、図３に示すように、筐体３内における消火器収納空間７の上部の角部に配置され、脚部１５ｂの下端が筐体３の背面３ｄに溶接により接合されると共に端子箱支持面部１５ａの上辺が筐体３の天井面３ｃに溶接により接合されている。
【００２２】
第１端子箱支持台１５は、設置状態において、脚部１５ｂの高さだけ筐体３の背面３ｄから浮いた状態になり、筐体３の背面３ｄと端子箱支持面部１５ａの下面との間が配線スペースとなる。また、切欠き部１５ｄは配線スペースに向けて電気ケーブル２５ｂを挿通するための挿通部となる（図１参照）。
【００２３】
《第２端子箱支持台》
第２端子箱支持台１７は第１端子箱支持台１５と同様に鋼板製であり、図６及び図７に示すように、平板状の端子箱支持面部１７ａと端子箱支持面部１７ａの一方の側辺部から筐体３の背面３ｄ側に屈曲形成された脚部１７ｂと端子箱支持面部１７ａの他方の側辺部から筐体３の前面側に屈曲形成された係止片１７ｄとを有している。
【００２４】
端子箱支持面部１７ａは、支持する通信用端子箱１３の外形とほぼ同じ矩形状をしており、四隅には溶接ボルト１７ｃが立設されている。溶接ボルト１７ｃを通信用端子箱１３に形成されたボルト孔に挿入してナットによって通信用端子箱１３を固定する。
脚部１７ｂは、下端部に水平方向に屈曲するフランジ部を有し、フランジ部を筐体３の背面３ｄにビス止めよって接合できるようになっている。
係止片１７ｄの両端（設置状態では上下端）には、ホース収納部２９に立設した溶接ボルト３４に係止する係止部として機能する切欠き穴１７ｅが設けられている。
【００２５】
第２端子箱支持台１７は、図３に示すように、脚部１７ｂが上下方向に延出するように配置して筐体３に設置され、設置状態においては、脚部１７ｂの高さだけ筐体３の背面３ｄから浮いた状態になり、筐体３の背面３ｄと端子箱支持面部１７ａの下面との間が上下に貫通した配線スペースとなる。
【００２６】
＜ホース架台＞
ホース架台１９は、図１、図３に示すように、ホース収納部２９を構成する２本の棒状体３１を支持するように設けられた、軸方向直交断面がコ字状の部材である。コ字の開口側を下方に向けて筐体３の幅方向に連通するように、筐体３の底面３ａに設置されることで、筐体３の底面３ａとホース架台１９の天井面３ｃとの間に配線スペースが形成されている。
【００２７】
＜消火器架台＞
消火器架台２１は、図８、図９に示すように、消火器６が載置される平板状の消火器載置面部２１ａと、消火器載置面部２１ａを支持するコ字状のコ字架台２１ｂとによって構成されている。消火器載置面部２１ａは、図８、図９（ａ）に示すように、長方形の片方の長辺の隣合う角部を斜めに切除した６角形をしており、消火器載置面部２１ａには消火器６が載置されるスペースを区画するための枠部２１ｃが設けられている。
また、消火器載置面部２１ａの背面側には上方に屈曲して設けられた固定片２１ｄが２個設けられ、固定片２１ｄを筐体３の背面３ｄにビス止めできるようになっている。
【００２８】
消火器架台２１は、コ字架台２１ｂの開口側を下方に向けて筐体３の幅方向に連通するように、筐体３の底面３ａに設置されることで、筐体３の底面３ａと消火器架台２１のコ字架台２１ｂの天井面との間に配線スペースが形成されている。
【００２９】
上記のような各構成機器を有する消火栓装置１における配線方法について図１に基づいて説明する。
なお、配線前の状態において、弱電用端子箱９と通信用端子箱１３は筐体３の背面３ｄから浮かした状態で設置され、強電用端子箱１１は筐体３に背面３ｄに直に設置されている。このため、消火器収納空間７においては、配線スペースが筐体３の奥行き方向で２層に区分けされた状態になっている。
【００３０】
電気ケーブルの束２５を筐体３の側面３ｂの開口２７から筐体３内に引き入れ、ホース架台１９によって形成されたスペースを通過させて消火器収納空間７に引き入れる。
消火器収納空間７に引き入れられた一部の電気ケーブル２５ａ、ｂは、さらに消火器架台２１によって形成されたスペースを通過させ、筐体３の側面３ｂに沿わせ、そのうち電気ケーブル２５ａは弱電用端子箱９に接続され、電気ケーブル２５ｂは、第１端子箱支持台１５の切欠き部１５ｄから第１端子箱支持台１５の端子箱支持面部１５ａの背面側を通過して強電用端子箱１１に接続される。
【００３１】
消火器収納空間７に引き入れられた電気ケーブルの束２５うちの一部である電気ケーブル２５ｃ、ｄは、上方に向けて引き回されて電気ケーブル２５ｃは通信用端子箱１３に接続される。上方に引き回された残りの電気ケーブル２５ｄは、第２端子箱支持台１７の端子箱支持面部１７ａの背面側を通過して強電用端子箱１１に接続される。
【００３２】
以上のように、本実施の形態では、ホース架台１９と消火器架台２１を設けたことで、筐体３内に引き込まれた電気ケーブルの束２５を筐体３の底面３ａに沿って配線して、消火器収納空間７に引き入れることができる。
また、弱電用端子箱９を浮かした状態で支持する第１端子箱支持台１５と、通信用端子箱１３を浮かした状態で支持する第２端子箱支持台１７を設けたことで、弱電用端子箱９と通信用端子箱１３の背面側にも電気ケーブル２５ｂ、ｄを引き回すスペースができ、電気ケーブル２５ｂ、ｄを屈曲することなく配線が可能になっており、これによって筐体３の薄型化を実現している。
【００３３】
さらに、弱電用端子箱９と通信用端子箱１３は筐体３の背面３ｄから浮かした状態で設置され、強電用端子箱１１は筐体３に背面３ｄに直に設置されることで、消火器収納空間７における端子箱の配置が筐体３の奥行き方向で２層に区分されており、下層に位置する強電用端子箱１１に接続する電気ケーブル２５ｂ、ｄは第１端子箱支持台１５と第２端子箱支持台１７における端子箱支持面部１５ａ、１７ａの背面側を通過させるようにしたので、上層側の電気ケーブル２５ａ、ｃと干渉することなくスムーズな配線が実現されている。
【００３４】
なお、上記の実施の形態では端子箱支持部材の例として、端子箱を支持する端子箱支持面部１５ａ、１７ａを有する台形状のものを例示したが、本発明の端子箱支持部材の形状は限定されず、端子箱を筐体３の背面３ｄから浮かした状態で支持できるものであればよく、例えば筐体３の背面３ｄに立設した支持棒によって構成してもよい。
また、上記の実施の形態において溶接ボルトを用いているところについては、溶接ボルトには限定されず、端子箱または端子箱支持台を固定できる部材であればよい。例えば、溶接ボルトが溶接されている箇所に穴を開け、裏側から当該穴に挿通したボルトであってもよいし、あるいは同じく開けた穴の裏側に溶接したナットと表側からこのナットに通したボルトとによって構成してもよい。
【符号の説明】
【００３５】
１  消火栓装置
２  ホース
３  筐体
３ａ  底面
３ｂ  側面
３ｃ  天井面
３ｄ  背面
５  ホース収納空間
６  消火器
７  消火器収納空間
９  弱電用端子箱
１１  強電用端子箱
１３  通信用端子箱
１５  第１端子箱支持台
１５ａ  端子箱支持面部
１５ｂ  脚部
１５ｃ  溶接ボルト
１５ｄ  切欠き部
１７  第２端子箱支持台
１７ａ  端子箱支持面部
１７ｂ  脚部
１７ｃ  溶接ボルト
１７ｄ  係止片
１７ｅ  切欠き穴
１９  ホース架台
２１  消火器架台
２１ａ  消火器載置面部
２１ｂ  コ字架台
２１ｃ  枠部
２１ｄ  固定片
２３  前面パネル
２５  電気ケーブルの束
２５ａ  電気ケーブル
２５ｂ  電気ケーブル
２５ｃ  電気ケーブル
２５ｄ  電気ケーブル
２７  開口
２９  ホース収納部
３１  棒状体
３３  帯板
３４、３５  溶接ボルト
【図１】
2018019885.tif 000003
【図２】
2018019885.tif 000004
【図３】
2018019885.tif 000005
【図４】
2018019885.tif 000006
【図５】
2018019885.tif 000007
【図６】
2018019885.tif 000008
【図７】
2018019885.tif 000009
【図８】
2018019885.tif 000010
【図９】
2018019885.tif 000011